(57)【要約】【課題】  タイムシフト機能でのチャンネルの指定を容易にする。【解決手段】  分類情報保持手段（１４ｂ）は、放送内容を分類する複数の項目を含む分類情報を保持しており、番組表取得手段（Ｓ１１０）が、各チャンネルの放送内容の情報を含む番組表を取得すると、構成割合算出手段（Ｓ１２０〜Ｓ１６０）は、各チャンネルの各番組を分類情報の項目で分類し、各番組が各チャンネルに占める割合を算出し、同割合に基づいて各チャンネル毎に分類情報の各項目で構成割合を算出する。すると、常時録画チャンネル指定手段（Ｓ２００〜Ｓ２６０）は、常時録画させるチャンネルを指定するときに各チャンネル毎に分類情報の各項目ごとの構成割合を表示してチャンネルの指定を受け付け、常時録画制御手段は、指定された複数のチャンネルの放送内容をチューナで常時受信して記録手段で録画させる。【選択図】  図４
2015136036.tif 000002
【特許請求の範囲】
【請求項１】
複数のテレビ放送を個別に受信するチューナと、テレビ放送の内容を記録再生する記録手段と、指定された複数のチャンネルの放送内容を前記チューナで常時受信して前記記録手段で録画させる常時録画制御手段とを備える録画再生装置であって、
各チャンネルの放送内容の情報を含む番組表を取得する番組表取得手段と、
放送内容を分類する複数の項目を含む分類情報を保持する分類情報保持手段と、
各チャンネルの各番組を分類情報の前記項目で分類し、各番組が各チャンネルに占める割合を算出し、同割合に基づいて各チャンネル毎に分類情報の各項目で構成割合を算出する構成割合算出手段と、
常時録画させる前記チャンネルを指定するときに各チャンネル毎に分類情報の各項目ごとの構成割合を表示して前記チャンネルの指定を受け付ける常時録画チャンネル指定手段とを備えることを特徴とする録画再生装置。
【請求項２】
前記常時録画チャンネル指定手段は、各項目ごとの構成割合を表示し、常時録画させる前記チャンネルを指定する操作を受け付けることを特徴とする請求項１に記載の録画再生装置。
【請求項３】
前記常時録画チャンネル指定手段は、複数の項目の中から優先する項目を受け付け、同項目の構成割合が多いチャンネルを優先して常時録画させる前記チャンネルとして受け付けることを特徴とする請求項１または請求項２に記載の録画再生装置。
【請求項４】
前記構成割合算出手段は、所定の期間にわたって各チャンネル毎に分類情報の各項目で構成割合を算出して同構成割合を蓄積し、また、所定の期間を指定して構成割合の算出に反映させないことを特徴とする請求項１〜請求項３のいずれかに記載の録画再生装置。
【請求項５】
前記構成割合算出手段は、特定のチャンネルについて前記構成割合の初期値を有しており、以後、前記構成割合を算出して合算していくことを特徴とする請求項１〜請求項４のいずれかに記載の録画再生装置。
【請求項６】
前記常時録画チャンネル指定手段は、各チャンネル毎に分類情報の各項目ごとの構成割合を表示するときに、並行して受信可能なチューナ群毎に、分けて表示することを特徴とする請求項１〜請求項５のいずれかに記載の録画再生装置。
【請求項７】
前記構成割合は、各番組の放送時間の長短に基づいて各番組が各チャンネルに占める割合を算出することを特徴とする請求項１〜請求項６のいずれかに記載の録画再生装置。
【請求項８】
前記構成割合は、各番組の数に基づいて各番組が各チャンネルに占める割合を算出することを特徴とする請求項１〜請求項６のいずれかに記載の録画再生装置。
【請求項９】
前記分類情報は、放送内容のジャンルに指定される項目を含むことを特徴とする請求項１〜請求項８のいずれかに記載の録画再生装置。
【請求項１０】
前記分類情報は、放送内容のジャンル以外のキーワードを受け付ける手段を含み、前記構成割合算出手段は、各番組の内容の中に受け付けた前記キーワードが含まれる番組が同チャンネルに占める割合を算出し、同割合に基づいて各チャンネル毎にキーワード毎に構成割合を算出することを特徴とする請求項１〜請求項９のいずれかに記載の録画再生装置。
【請求項１１】
複数のテレビ放送を個別に受信するチューナと、テレビ放送の内容を記録再生する記録手段と、指定された複数のチャンネルの放送内容を前記チューナで常時受信して前記記録手段で録画させる常時録画制御手段とを備える録画再生装置における常時録画チャンネル指定方法であって、
各チャンネルの放送内容の情報を含む番組表を取得する工程と、
放送内容を分類する複数の項目を含む分類情報を保持する工程と、
各チャンネルの各番組を分類情報の前記項目で分類し、各番組が各チャンネルに占める割合を算出し、同割合に基づいて各チャンネル毎に分類情報のキーワード毎に構成割合を算出する工程と、
各チャンネル毎に分類情報の各項目ごとの構成割合を表示する工程と、
常時録画させる前記チャンネルを指定する操作を受け付ける工程とを含むことを特徴とする常時録画チャンネル指定方法。
【発明の詳細な説明】
【技術分野】
【０００１】
本発明は、複数のチャンネルの放送内容を常時受信して録画する録画再生装置および常時録画チャンネル指定方法に関する。
【背景技術】
【０００２】
特許文献１は、視聴履歴から、チャンネルごとの推薦度を決めるシステム及び番組推薦方法に関する。請求項１と請求項４および段落００３２には、選局されるチャンネル、ジャンルについてポイントを加算し、嗜好データベースを生成して、番組情報からユーザへの推薦度を演算するとの開示がある。
特許文献２は、選択したジャンルの番組を録画する放送局システム及び受信機に関する。請求項３０には、視聴者が好みのジャンルを選択すると、そのジャンルの放送番組を自動的に録画するとの開示がある。
【０００３】
特許文献３は、推薦番組リストを順位別に提供する番組放送中に他のチャンネルの番組検索サービスを提供する方法および装置に関する。請求項２と図６には、放送中の番組と同じような時間帯に放映される他のチャンネルの推薦番組リストを表示するとの開示がある。
特許文献４は、ジャンル別に分類した番組表を表示する録画予約装置及びプログラム記録媒体に関する。請求項１９には、番組がジャンル別に分類されている番組表を有し、その番組表から番組を選択するとの開示がある。
【先行技術文献】
【特許文献】
【０００４】
【特許文献１】特開２０１３−０７８１５８号公報
【特許文献２】特開２０００−０３１９２１号公報
【特許文献３】特開２０１０−１５８０２５号公報
【特許文献４】特開２０００−３５０１４０号公報
【発明の概要】
【発明が解決しようとする課題】
【０００５】
従来、個々の番組の録画のため、ジャンルやキーワードを含むものを候補としてあげたり自動録画するものが知られている。
一方、チャンネルごとに指定して常に録画し続ける機能が利用されてきている。丸録、全録、タイムシフト機能、ループ録画など、各種の呼び名で呼ばれているが、複数のチャンネルの放送内容を常時受信して録画する。
【０００６】
個々の番組を録画指定する場合の優先付けは従来から行われているが、主に記録領域に残余領域があるか否か、あるいはチューナの数による制限だけを考慮すれば良かった。
しかし、タイムシフト機能の場合は、チャンネル単位で指定するため、個別の番組に対する嗜好での選択はできない。
例えば、タイムシフト機能モデルにおいて、常時録画チャンネル（タイムシフト機能チャンネル）の設定時、地上デジタル放送（地デジ）／ＢＳ／ＣＳとチャンネル数が多い為、ユーザは常時録画チャンネルに設定する際、設定に手間がかかっていた。また、どのような放送が行われるチャンネルか分からない場合、どのチャンネルを常時録画チャンネルに設定すべきか判断しにくい状況があった。
【０００７】
一方、特許文献１は、番組選局時にチャンネルにポイントを入れていくことで、ユーザの嗜好性の高いチャンネルを順位づける構成が記載されている。しかし、複数のチャンネルがあったときにいずれを視聴するかを選択するのかはユーザがその時点で決めればよいが、見たい番組を含む可能性があるチャンネルか否かは嗜好性の高低とは比例しない。
また、特許文献１は、指定ジャンルによる選択候補の抽出ではない。特許文献２〜４は、指定ジャンルの番組比率が高いチャンネルを選択するものではない。また、いずれもタイムシフト機能への示唆もない。
【０００８】
本発明は、いわゆるタイムシフト機能でのチャンネルの指定を容易にする。
【課題を解決するための手段】
【０００９】
本発明は、複数のテレビ放送を個別に受信するチューナと、テレビ放送の内容を記録再生する記録手段と、指定された複数のチャンネルの放送内容を前記チューナで常時受信して前記記録手段で録画させる常時録画制御手段とを備える録画再生装置であって、各チャンネルの放送内容の情報を含む番組表を取得する番組表取得手段と、放送内容を分類する複数の項目を含む分類情報を保持する分類情報保持手段と、各チャンネルの各番組を分類情報の前記項目で分類し、各番組が各チャンネルに占める割合を算出し、同割合に基づいて各チャンネル毎に分類情報の各項目で構成割合を算出する構成割合算出手段と、常時録画させる前記チャンネルを指定するときに各チャンネル毎に分類情報の各項目ごとの構成割合を表示して前記チャンネルの指定を受け付ける常時録画チャンネル指定手段とを備える構成としてある。
【００１０】
上記構成において、分類情報保持手段は、放送内容を分類する複数の項目を含む分類情報を保持しており、番組表取得手段が、各チャンネルの放送内容の情報を含む番組表を取得すると、構成割合算出手段は、各チャンネルの各番組を分類情報の前記項目で分類し、各番組が各チャンネルに占める割合を算出し、同割合に基づいて各チャンネル毎に分類情報の各項目で構成割合を算出する。すると、常時録画チャンネル指定手段は、常時録画させる前記チャンネルを指定するときに各チャンネル毎に分類情報の各項目ごとの構成割合を表示して前記チャンネルの指定を受け付け、常時録画制御手段は、指定された複数のチャンネルの放送内容を前記チューナで常時受信して前記記録手段で録画させる。
【発明の効果】
【００１１】
本発明によれば、選択の判断が多岐にわたるので困難さを伴うタイムシフト機能でのチャンネルの指定を容易にできる。
例えば、タイムシフト機能モデルにおいて、未来番組表の番組情報から各チャンネルのジャンル特性を割り出し、丸録チャンネル選択時に、ユーザにまずジャンルを選択してもらい、そのジャンルの番組放送が多いチャンネルを候補として絞り込んだ一覧を表示することで、簡便に丸録チャンネル設定を行えるようできる。
【図面の簡単な説明】
【００１２】
【図１】本発明の録画再生装置のブロック図である。
【図２】録画再生装置が実施するデータベース蓄積の処理手順のフローチャートである。
【図３】ジャンル指定の画面を示す図である。
【図４】録画再生装置が実施するチャンネル指定の処理手順のフローチャートである。
【図５】指定ジャンルを含むチャンネル毎の構成割合を示す図である。
【図６】指定ジャンルを含むチャンネル毎の構成割合を示す図である。
【図７】タイムシフト機能で指定する録画チャンネルを示す図である。
【図８】自動指定する録画チャンネルを示す図である。
【図９】キーワードの追加の処理手順のフローチャートである。
【図１０】キーワード指定の画面を示す図である。
【図１１】指定キーワードを含むチャンネル毎の構成割合を示す図である。
【図１２】チューナ群毎に指定ジャンルを含むチャンネル毎の構成割合を示す図である。
【発明を実施するための形態】
【００１３】
（第一実施例）
以下、図面にもとづいて本発明の実施形態を説明する。
図１は、本発明の一実施形態にかかる録画再生装置をブロック図により示している。
同図において、本録画再生装置１０は、複数のチューナ（デジタルチューナ）１１を備えている。具体的には、地デジチューナ１１ａ１〜１１ａ３、ＢＳチューナ１１ｂ１，１１ｂ２、ＣＳチューナ１１ｃ１，１１ｃ２を備えている。地デジであれば同時に三つのテレビ放送を受信でき、ＢＳであれば同時に二つのテレビ放送を受信でき、ＣＳであれば同時に二つのテレビ放送を受信できる。各チューナ１１で受信して復調されエラー処理まで行われた復調信号はそれぞれ個別にデマルチプレクサ１２に入力されている。なお、図示していないがチューナ１１には復調器を含むものとする。
【００１４】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。
【００１５】
マルチプレクサ１３は、録画時、受信したデジタル放送のコンテンツから録画に必要な情報を抽出して再多重し、記録領域としてのＨＤＤ１４に記録させる。再生時は、デマルチプレクサ１２がＨＤＤ１４から直にデータを読み出す。ＨＤＤ１４には、デジタル放送のコンテンツに加え、後述するデータベース１４ａと、分類情報１４ｂも記録されている。分類情報１４ｂは、分類情報としてのジャンル名などが含まれている。ＨＤＤ１４の分類情報１４ｂは、放送内容を分類する複数の項目を含む分類情報を保持する分類情報保持手段に相当する。
【００１６】
受信したデジタル放送のトランスポートストリームあるいはＨＤＤ１４から読み出されたデータはデコーダ１５に入力され、映像信号と音声信号とに分離され、デコードされる。デコードされた映像信号はドライバ１６に入力されてディスプレイパネル１７で映像として表示される。また、デコードされた音声信号はアンプ１８で増幅されてスピーカ１９から音声として出力される。
【００１７】
本録画再生装置１０に対する操作指示は、操作パネル２１を介してデマルチプレクサ１２が取得し、所定の制御に反映させる。また、リモコン２２を介する操作指示も同様に取得可能となっている。
【００１８】
本実施例では、チューナ１１が複数のテレビ放送を個別に受信するチューナに相当し、ＨＤＤ１４がテレビ放送の内容を記録再生する記録手段に相当し、デマルチプレクサ１２が指定された複数のチャンネルの放送内容を前記チューナで常時受信して前記記録手段で録画させる常時録画制御手段に相当している。
タイムシフト機能で録画するチャンネルは、所定のメニューを介してユーザは直に設定可能となっている。しかし、地デジ、ＢＳ、ＣＳというように、チャンネルが多くなると、限られた常時録画可能なチャンネル数の中でチャンネルを指定するのは困難を伴う。すなわち、操作手順というよりも、対象の選択という意味で困難である。以下、常時録画するチャンネルの指定を容易にするための、データベース蓄積プログラムと、チャンネル指定プログラムについて説明する。
【００１９】
図２は、録画再生装置が実施するデータベース蓄積の処理手順をフローチャートにより示している。なお、同図に示すフローチャートの中で一点鎖線で囲んでいる部分は第二実施例以降の内容であるので、ここでは省略する。
【００２０】
デマルチプレクサ１２内のＣＰＵ（以下、単にＣＰＵと呼ぶ）は、データベース蓄積の処理は、ステップＳ１１０にて番組表を取得する。番組表は各チャンネル毎にテレビ放送の内容の合間に送信されており、ＣＰＵはトランスポートストリームを分離する際に番組表のデータを含むパケットを受信すると、当該パケットから番組表のデータを取り出し、所定の記憶領域に書き込む。番組表が必要となったときは同記憶領域のデータを参照することで適宜番組表を完成させる。なお、このような番組表は、タイムシフト機能で録画済みの番組と対比させる意味で未来番組表と呼び、タイムシフト機能で録画済みの番組については過去番組表と呼ぶことがある。ステップＳ１１０の処理は、各チャンネルの放送内容の情報を含む番組表を取得する番組表取得手段（工程）に相当する。
【００２１】
ステップＳ１２０では、ＣＰＵは番組のジャンルを取得する。番組のジャンルはＨＤＤ１４内に分類情報１４ｂとして記憶されているので、これを読み出す。また、いったん読み出したあとはＲＡＭなどの揮発性の領域に記憶させておいても良い。読み出したジャンルは分類情報の項目として扱う。
番組表のデータの中には、放送チャンネルと番組名と開始時刻と放送時間やジャンルといった基本となる情報と、番組の内容に関する情報などが含まれている。ステップＳ１３０では、ＣＰＵは番組表に含まれる各番組のジャンルを取得し、ステップＳ１２０で取得済みの番組のジャンル（分類情報の項目）で分類する。
【００２２】
ステップＳ１４０では、分類された各番組がチャンネルに占める割合を算出する。占める割合を算出するには、放送時間の長短に基づく占有の割合と、放送番組の数に基づく占有の割合とのいずれかを選択できる。放送時間は、番組表のデータの中から直に取得できる場合もあるし、開始時間と終了時間とを含む場合にその差から算出して取得しても良い。デフォルトでは占有時間に基づく割合を算出する。このとき、深夜の放送休止時間があれば、割合を算出する際に除外してもよい。
【００２３】
ステップＳ１５０では、割合に基づいて各チャンネル毎に、ジャンル毎の構成割合を算出する。例えば、一日に１０個の番組があり、それぞれにジャンルの情報が付されているから、分類情報の項目としてジャンルが記憶されているのであれば、このジャンル毎に番組を分類し、さらに各ジャンル毎に番組の放映時間に基づく占有の割合を積算すると、当該チャンネルにおけるジャンル毎の構成割合を算出できる。なお、初期設定時は、番組情報が集まっていないためチャンネルのジャンルを割り出せないことがある。一方、ＢＳやＣＳ等では、既に放送内容のジャンルの傾向の判断できるものがある。従って、このような特定のチャンネルについては、構成割合の初期値をＨＤＤ１４、またはＲＯＭに記憶しておき、この初期値を読み込みつつ、以降、構成割合を算出して合算して利用しても良い。
【００２４】
ステップＳ１６０では、算出した構成割合に基づいてデータベース１４ａを更新する。データベース１４ａは、少なくとも各チャンネルのＩＤと、各チャンネル毎に分類情報の項目と構成割合とを対応づけて記憶している。データベース１４ａは、一定期間が指定されていて、その期間内での構成割合だけを最新のものとして記憶するようにする方法と、期間を区切ることなく全期間で常に更新するようにしていく方法とがある。デフォルトでは前者としておき、ユーザ設定で後者に変更できるようにしている。
【００２５】
以上により、データベース１４ａを参照することにより、いつでもチャンネル毎に分類情報の項目毎に構成割合が得られるようになった。なお、ステップＳ１２０〜ステップＳ１６０の処理は、各チャンネルの各番組を分類情報の前記項目で分類し、各番組が各チャンネルに占める割合を算出し、同割合に基づいて各チャンネル毎に分類情報の各項目で構成割合を算出する構成割合算出手段（工程）に相当する。
【００２６】
図３は、ジャンル指定の画面を図により示している。
タイムシフト機能で録画するチャンネルを指定する場合、メニューを操作して本体設定の中で指定する。この例では、六つのチャンネルを指定できる。このとき、リモコン２２の色分けボタンの一つに「ジャンルから設定」が割り振られており、他の色分けボタンの一つに「ジャンル自動設定」が割り振られている。
【００２７】
ユーザは、本体設定の操作により個別に六つのチャンネルを指定できるが、「ジャンルから設定」が割り振られている色分けボタンを押すと、図４に示すチャンネル指定のプログラムが実行される。
図４は、録画再生装置が実施するチャンネル指定の処理手順をフローチャートにより示している。なお、同図に示すフローチャートの中で一点鎖線で囲んでいる部分は第二実施例以降の内容であるので、ここでは省略する。
【００２８】
タイムシフト機能で録画するチャンネルを指定するとき、ユーザが「ジャンルから設定」を選択した場合、ＣＰＵは、ステップＳ２００でジャンル指定を行う。ジャンル指定では、図３に示すように、ジャンル項目を全て表示する。このとき、図では、大項目と小項目とに分けており、例えば、映画という大項目のジャンルの中に、さらに、洋画、邦画、アニメ、その他という小項目としての詳細ジャンル項目が用意されている。詳細なジャンル項目を個別に選んでも良いし、大項目だけで良ければ、全てを選ぶ。なお、構成割合を求めるときは、詳細項目で細分化して割合を求めておき、構成割合を表示する際に大項目についてはその時点で小項目のものを合算すればよい。
【００２９】
次のステップＳ２１０では、ステップＳ２００で指定したジャンルを含むチャンネルの絞り込みを行なう。データベース１４ａには各チャンネルのＩＤと各チャンネル毎に分類情報の項目と構成割合とを対応づけて記憶しているので、指定したジャンルの構成割合が０％でないものを抽出する。ステップＳ２２０では、さらに同データベース１４ａを参照することにより、絞り込みチャンネル毎にジャンルの構成比を取得する。ステップＳ２００でユーザが映画の全てを選んだとすると、映画のジャンルの構成割合が０％でないチャンネルと、そのチャンネルの構成比が取得されることになる。
【００３０】
ステップＳ２４０では、抽出されたチャンネルの中で指定ジャンルの構成比の大きいもの順に並べ替え、ステップＳ２５０では、チャンネル毎に分類情報の各項目ごとの構成割合を表示する。
図５と図６は、指定ジャンルを含むチャンネル毎の構成割合を図により示している。
図において、左側には指定ジャンルを含むチャンネルの一覧が表示され、一行ずつハイライト表示されている。右欄はハイライト表示されているチャンネルのジャンル毎の構成割合を表示している。図５に示すものでは、チャンネル番号１がハイライト表示されており、チャンネル番号１のチャンネルのジャンル毎の構成割合として、「映画５０％、ドラマ２０％」という算出結果が縦方向に並べて表示されている。もし、ユーザが下矢印キーを押した場合、図６に示すように、チャンネル番号２がハイライト表示され、右欄にはチャンネル番号２のチャンネルのジャンル毎の構成割合として、「映画４５％、ドラマ２０％」という算出結果が縦方向に並べて表示されている。ステップＳ２４０で、指定ジャンル毎に大きいもの順に並べ替えられているので、「映画５０％」となっているチャンネル番号１のチャンネルが、「映画４５％」となっているチャンネル番号２のチャンネルよりも上に表示されている。
【００３１】
むろん、これは一例に過ぎず、番組のジャンルから、チャンネル毎に、ジャンルの割合を算出することで、チャンネル３は、映画３０％／ドラマ６０％／アニメ５％／教育４％／ニュース１％等ということもある。
ステップＳ２６０では、常時録画させるチャンネルの指定を受け付ける。図５と図６の最下欄には別の色分けボタンの一つに「チャンネル指定」が割り振られ、他の一つに「キャンセル」が割り振られている。ユーザが上下矢印キーでチャンネルのハイライトを指定したいチャンネルに切り替え、「チャンネル指定」が割り振られている色分けボタンを押せば、そのチャンネルが、常時録画対象として空いている枠のチャンネルとして指定される。また、「キャンセル」が割り振られている色分けボタンを押せば、「ジャンルから設定」の色分けボタンを押す前の段階に処理を戻す。
【００３２】
図７は、タイムシフト機能で指定する録画チャンネルを図により示している。
図５に示すように、チャンネル番号１がハイライト表示されている状態で、「チャンネル指定」が割り振られている色分けボタンを押したとすると、チャンネル番号１のチャンネルが、六つ空いていた常時録画対象の枠の最初のチャンネルとして設定される。なお、ステップＳ２００〜ステップＳ２６０の処理は、常時録画チャンネルを指定するときに各チャンネル毎に分類情報の各項目ごとの構成割合を表示して前記チャンネルの指定を受け付ける常時録画チャンネル指定手段（工程）に相当する。
【００３３】
このように、タイムシフト機能の常時録画チャンネルをユーザが選択する時に、まず、ジャンル一覧を表示し、そのジャンルに適合するチャンネル一覧を表示するとともに、各チャンネルのジャンル毎の構成割合を表示して、ユーザが常時録画チャンネルを選択するのを簡便にすることができる。なお、視聴及び再生された番組などから、ユーザが好むジャンルが分かった場合、ジャンル一覧を嗜好順に並べる事も可能である。また、ユーザが好まないジャンルは表示しないとしても良い。これによりユーザの操作回数を減らし、簡便に設定できる。さらに、ジャンルを指定した後のチャンネル一覧画面では、そのチャンネルにおけるジャンルのパーセンテージが高い順で表示することとしても良い。なお、構成割合の中ではパーセンテージ表示しているが、円グラフなどで構成割合を図示しても良い。
【００３４】
（第二実施例）
上述した実施例では、チャンネル毎の各項目の構成割合を表示した後で、ユーザが現実に「チャンネル指定」の色分けボタンを押すことでチャンネル指定が行われていた。しかし、第二実施例では、チャンネル指定まで完結させる。
本実施例では、図４に示すステップＳ２６０の処理に代え、ステップＳ２６２の処理を実行する。
【００３５】
具体的には、図３に示すジャンル指定の画面で、「ジャンル自動設定」が割り振られている色分けボタンをユーザが押した場合、指定ジャンルの構成比の大きいもの順で常時録画させるチャンネルを設定する。ステップＳ２００〜ステップＳ２４０の処理で、指定ジャンルを含み、かつ、その指定ジャンルの構成比の大きいもの順で並べ替えられている。このため、常時録画対象として空いている枠のチャンネルとして、構成比の大きいもの順でチャンネルを設定していく。
【００３６】
図８は、自動指定する録画チャンネルを図により示している。常時録画対象として六つの枠が空いていたとき、構成比の大きいもの順でチャンネル番号１〜チャンネル番号４が抽出された結果、これらのチャンネル番号１〜チャンネル番号４が自動指定する録画チャンネルとして設定されている。
ステップＳ２００でチャンネルを指定する処理は、複数の項目の中から優先する項目を受け付けたことに相当し、ステップＳ２６２で構成比の大きいもの順でチャンネルを設定していく処理は、優先する項目の構成割合が多いチャンネルを優先して常時録画させる受け付けることに相当している。
【００３７】
このように、タイムシフト機能で常時録画チャンネルをユーザが選択する時に、ジャンルのみを決定し、そのジャンルに含まれるすべてのチェンネルを常時録画チャンネルとして設定することができる。このとき、常時録画できるチェンネル数には上限があるため、そのジャンルを占める構成割合の上位の側のチャンネルから自動で任意のチェンネル数を常時録画チャンネルとして設定している。
【００３８】
（第三実施例）
ところで、特番時期など、バラエティのスペシャル番組が多く放送される時期もあり、未来番組表だけでチャンネル毎のジャンルの割合を算出すると、時期によって大きく割合が変化することがある。
これを防ぐために、一つには過去の番組表から算出したジャンル割合も消去せず記憶し、未来番組表の新規情報を加算して、平均的な割合を算出することが有効である。
【００３９】
一方、特番時期などは、データベース１４ａを更新しない処理とすることも可能である。
このため、図２において、一点鎖線で示したステップＳ４００の処理を実施する。
ステップＳ４００では、データベース１４ａを更新するか否かを、該当期間か否かを判定することで決めている。一例として、特番期間であれば更新しない。また、上述したように、特番期間以外では、ある一定期間に含まれないものは更新しないし、それ以外であれば全期間を指定していることとして更新することにする。
【００４０】
すなわち、構成割合算出手段は、所定の期間（一定期間ｏｒ全期間での判定）にわたって各チャンネル毎に分類情報の各項目で構成割合を算出して同構成割合を蓄積し、また、所定の期間（特番期間）を指定して構成割合の算出に反映させないようにしている。
（第四実施例）
常時録画チャンネルをユーザが選択する時に、ジャンル情報以外にも、出演者、急上昇ワード、視聴率、オススメ番組などを指標に常時録画チャンネルを設定しても良い。
【００４１】
図９は、キーワードの追加を実現するキーワード受け付けの処理手順をフローチャートにより示している。
ステップＳ３００では、ジャンル以外のキーワードを受け付ける。キーワードを単独で受け付けることもできるし、ジャンル以外の分類情報とその項目を受け付けることもできる。後者の受付として、例えば分類情報として出演者というキーワードと、出演者の項目として具体的に出演者Ａ、出演者Ｂ、出演者Ｃ、出演者Ｄ・・といった出演者を受け付けていく。分類情報としては、出演者、急上昇ワード、視聴率、オススメ番組などが考えられる。これらは番組内容に一般的に含まれる分類である。従って、このような汎用的な分類情報を選択した場合は、番組表を得たときに逐次当該分類に該当する項目（具体的な出演者、具体的な急上昇ワード、視聴率、具体的なオススメ番組）を取得していき、分類情報１４ｂのようにＨＤＤ１４に記録していってもよい。
【００４２】
続く、ステップＳ３１０では、先の実施例で分類情報の項目としていたジャンルの項目に、キーワードを加える。このとき、ジャンルの項目に代えてキーワードを加えても良いし、ジャンルと並列的に分類情報と項目を加えることも可能である。
また、データベースを更新するため、図２に示すフローチャートの一部を変更して実施する。まず、ステップＳ１２０で、分類情報１４ｂを読み込んで番組のジャンルを取得していたのに対し、ステップＳ１２２ではステップＳ３００，ステップＳ３１０で受け付けたキーワード（ＫＷ）を取得する。
【００４３】
ステップＳ１３０では、番組をジャンルで（分類情報の項目）で分類していたが、ステップＳ１３２では、番組の内容に含まれるキーワードで分類する。なお、番組の内容は番組表を得たときに付加的な情報として含まれている。ステップＳ１４０で、各番組が各チャンネルに占める割合を時間あるいは数の観点で算出する処理は異ならない。
ステップＳ１５０では、その割合に基づいてジャンル毎に構成割合を算出していたのに対し、ステップＳ１５２では、各チャンネル毎にキーワードごとに構成割合を算出する。そして、ステップＳ１６０では、算出された構成割合でデータベースを更新する。この結果、データベース１４ａは、少なくとも各チャンネルのＩＤと、各チャンネル毎にキーワードと構成割合とを対応づけて記憶する。そして、データベース１４ａを参照することにより、いつでもチャンネル毎にキーワード毎の構成割合が得られるようになった。
【００４４】
図１０は、キーワード指定の画面を図により示している。
図４に示した常時録画チャンネルの指定の処理では、ジャンルを指定していたが、図１０に示すように、本実施例では、ジャンルに代えて出演者をキーワードとして指定している。このため、図４に示した常時録画チャンネルの指定の処理では、単にジャンルに代えてキーワードを使用して処理を行えばよい。具体的には、ステップＳ２００では、キーワード指定を行ない、ステップＳ２１０では、指定キーワードを含むチャンネル絞り込みを行ない、ステップＳ２２０では、絞り込みチャンネル毎にキーワードの構成比を取得し、ステップＳ２４０では、指定キーワードの構成比の大きいもの順に並べ替えている。
【００４５】
図１１は、指定キーワードを含むチャンネル毎の構成割合を図により示している。
以上のようにすれば、ジャンル指定の場合とほぼ同様の処理を経て、ステップＳ２５０では、図１１に示すように、キーワードで指定した番組構成比の多いものからチャンネル毎に表示される。
また、ステップＳ２６０では、ユーザにより指定を受けるか、自動的に設定される。
【００４６】
このように、ステップＳ３００，ステップＳ３１０として放送内容のジャンル以外のキーワードを受け付ける手段を含んでおり、キーワードは分類情報１４ｂとして記憶される。また、ステップＳ１５２の処理は構成割合算出手段として、各番組の内容の中に受け付けた前記キーワードが含まれる番組が同チャンネルに占める割合を算出し、同割合に基づいて各チャンネル毎にキーワード毎に構成割合を算出することになる。
【００４７】
（第五実施例）
常時録画の場合、チューナ１１は、テレビ放送の種類によって分類される。地デジテレビ放送に対応するチューナ群である地デジチューナ１１ａ１〜１１ａ３と、ＢＳテレビ放送に対応するチューナ群であるＢＳチューナ１１ｂ１，１１ｂ２と、ＣＳテレビ放送に対応するチューナ群であるＣＳチューナ１１ｃ１，１１ｃ２である。
【００４８】
例えば、地デジテレビ放送を対象とするなら、地デジチューナ１１ａ１〜１１ａ３は三つしかないので、常時録画は３チャンネルが最大数となる。従って、常時録画チャンネルとしては地デジ放送の３チャンネルで枠が埋まってしまう。しかし、さらにＢＳチューナ１１ｂ１，１１ｂ２と、ＣＳチューナ１１ｃ１，１１ｃ２があるので、並行して受信可能なチューナがある。地デジで常時録画チャンネルが限界になっても、実は、ＢＳチューナ１１ｂ１，１１ｂ２と、ＣＳチューナ１１ｃ１，１１ｃ２とで、さらに常時録画チャンネルの枠は残っている。従って、並行して受信可能なチューナ毎に、各チャンネルと分類情報の各項目ごとの構成割合を表示すると便利である。
【００４９】
このため、図２に示すフローチャートでは、ステップＳ２３０において、チューナ群毎にチャンネルを分類してそれ以降の処理を実施している。すなわち、並行して受信可能なチューナ群毎に、ステップＳ２４０では指定ジャンルの構成比の大きいもの順に並べ替え、ステップＳ２５０ではチャンネル毎に分類情報の各項目ごとの構成割合を表示する。
図１２は、チューナ群毎に指定ジャンルを含むチャンネル毎の構成割合を図により示している。
【００５０】
同図には、上から地デジチューナ群と、ＢＳチューナ群とに分けており、地デジチューナ群の内容としてチャンネル番号１〜チャンネル番号３が順に並べられ、ＢＳチューナ群の内容としてチャンネル番号１１〜チャンネル番号１３が順に並べられて表示されている。
【００５１】
このように、ステップＳ２３０〜ステップＳ２５０の処理により、各チャンネル毎に分類情報の各項目ごとの構成割合を表示するときに、並行して受信可能なチューナ群毎に分けて表示している。そして、これらの処理が本実施例の常時録画チャンネル指定手段に相当する。
なお、本発明は上記実施例に限られるものでないことは言うまでもない。当業者であれば言うまでもないことであるが、
【００５２】
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５３】
１１…チューナ、１１ａ１〜１１ａ３…地デジチューナ、１１ｂ１，１１ｂ２…ＢＳチューナ、１１ｃ１，１１ｃ２…ＣＳチューナ、１２…デマルチプレクサ、１３…マルチプレクサ、１４…ＨＤＤ、１４ａ…データベース、１４ｂ…分類情報、１５…デコーダ、１６…ドライバ、１７…ディスプレイパネル、１８…アンプ、１９…スピーカ。
【図１】
2015136036.tif 000003
【図２】
2015136036.tif 000004
【図３】
2015136036.tif 000005
【図４】
2015136036.tif 000006
【図５】
2015136036.tif 000007
【図６】
2015136036.tif 000008
【図７】
2015136036.tif 000009
【図８】
2015136036.tif 000010
【図９】
2015136036.tif 000011
【図１０】
2015136036.tif 000012
【図１１】
2015136036.tif 000013
【図１２】
2015136036.tif 000014